Podtech/llm-jp-corpus-v4-ja_patent huggingface dataset:
(57)【要約】【課題】本考案は、風圧によるセフティーコーンの横ずれ、転倒を防止すると同時に、セフティーコーンに装着した反射標識板に対して減光で走行する自動車からの反射視認性を高める。【解決手段】路面に対して垂直に自立する反射標識板と一体になったセフティーコーン用重しをセフティーコーンに装着することで、セフティーコーンの横ずれ、転倒を防止すると同時に、反射標識板は路面に最も近い場所に位置することになるので、減光で走行している自動車から最も高い輝度値で反射性を視認できる。【選択図】図１
0003115275.tif 000002
【実用新案登録請求の範囲】
【請求項１】
差替え用標識板を路面に対して垂直に自立させるためのスライドリブ付き標識スタンドを有するセフティーコーン用重し。
【考案の詳細な説明】
【技術分野】
【０００１】  本考案は、交通規制器材分野で風圧によるセフティーコーンの転倒を防止すると同時にセフティーコーンに装着する反射標識板の反射視認性を最も高めることができる標識スタンド付きセフティーコーン用重しに関する。
【背景技術】
【０００２】  従来、セフティーコーンに装着する反射標識板には２種類あった。一つは反射標識板に円筒形棒を取りつけ、それをコーン頭部の穴に指し込むタイプでり、もう一つは反射標識板にリング状の金具を取り付け、それをセフティーコーン胴体部に輪をかけるように装着させるものである。
【考案の開示】
【考案が解決しようとする課題】
【０００３】  従来のセフティーコーンに取りつける反射標識板の位置はセフティーコーンの頭部であったり、胴体部であったりでいずれも４０ｃｍ〜５０ｃｍ以上路面より高い位置に取りつけられているが、自動車が減光の状態で走行した場合に、自動車の光は路面近くを照らすことになるので、路面から離れた反射標識には光がとどかず、運転手からの反射視認性が極めて悪い。【０００４】  また使用時にはセフティーコーンの頭部や胴体部に広い面積で風の抵抗を受けることになる。それと重心がセフティーコーンの上部に移動しているので、セフティーコーンは風圧に対して容易に転倒する。【０００５】  本考案は、従来のセフティーコーンへの反射標識板の取り付け方式が有していた問題を解決するものであり、耐風圧によるセフティーコーンの横ずれ、転倒を防止すると同時にセフティーコーンに取りつけた反射標識板の反射視認性を最大限に高めることを目的とするものである。
【課題を解決するための手段】
【０００６】  本考案は、上記目的を達成する為に、セフティーコーン用重しの四角形の一辺に自動車の進行方向に対峙して自立することが出来るようにした標識スタンド部を取りつけ、その標識スタンド部に付いているスライドリブを利用して反射標識板を差し込み、この自立した反射標識板と一体となって使用するセフティーコーン用重しである。
【考案の効果】
【０００７】  セフティーコーン用重しをセフティーコーンに装着した時に、スライドリブを利用して取り付けられた反射標識板はセフティーコーン用重しと一体となっているので、反射標識板は路面に最も近い位置で自動車の進行方向に対峙して自立することになる。反射標識板が路面にほぼ垂直に自立しており、かつ向って来る車に対して路面に最も近い場所で平面状に対峙していることから、減光で走行している自動車からは高い輝度値で反射性を視認できるようになる。【０００８】  セフティーコーンに重しを装着した状態では反射標識板は最も低い位置で自立することになるので、反射標識板の受ける風の抵抗がセフティーコーンに及ぼす転倒への影響を最も小さくできる。【０００９】  セフティーコーン用重しをセフティーコーンに装着することは、反射標識板をセフティーコーンに取り付けるための単なるリングのような機能ではなく、これを装着すると同時にセフティーコーンに対して重しとしての機能が生じるので、風圧によるセフティーコーンの横ずれ、転倒を防止する。
【考案を実施するための最良の形態】
【００１０】  セフティーコーン用重しベース部は外形が四角形の板状のもので、その板面の中心部はセフティーコーン円筒のベース部円形の大きさに刳り抜かれた形である。このセフティーコーン用重しベース部の四角形の一辺に自動車の進行方向に対峙して自立することが出きるように標識スタンド部を取りつけ、その標識スタンド部にはスライドリブを設けておく。このスライドリブを利用して反射標識板を差し込み、自動車の進行方向に対峙して路面に最も近い位置で反射標識板を自立させる。【００１１】  自立した反射標識板と一体となったセフティーコーン用重しをセフティーコーンに載せた状態はセフティーコーンのベース部まで下りていて、路面に水平でかつ路面に最も近い場所に位置することになる。
【実施例】
【００１２】  以下、添付図面に従って実施例を説明する。１は本考案の標識スタンド付きセフティーコーンの重し本体であり、１ａベース部、１ｂ標識スタンド部、１ｃスライドリブ、１ｄ板面中央刳り抜き部で構成されている。２は反射標識板で、３はセフティーコーン本体で、３ａベース部と３ｂ胴体筒部で構成される。【００１３】  １ｄ板面中央刳り抜き部は３ｂセフティーコーン胴体部の下端に合せた円形で、１セフティーコーン用重しが３ｂセフティーコーン胴体部の途中で止まったり、３ａセフティーコーンベース部から抜け落ちること無く、３ａセフティーコーンベース部に安定して載る形状である。【００１４】  １セフティーコーン用重しに１ｃスライドリブを利用して２反射標識板を差し込み、それを３ｂセフティーコーンベース部に載せることで耐風圧に対して３セフティーコーンの横ずれ防止、転倒防止になると同時に、２反射標識板を路面に水平でかつ路面に最も近い場所に自立固定できる。【００１５】  以上の通り、３セフティーコーンの耐風圧の安定性を確保すると同時に視線誘導を主たる目的とした反射標識を、路面に水平でかつ路面に最も近い位置に自立固定できることで、夜間に減光して走行する自動車から最大限の反射効果でもって視認できる。
【図面の簡単な説明】
【００１６】
【図１】本考案の左斜視図
【図２】反射標識板
【図３】本考案に反射標識板を差し込みセフティーコーンへ装着した状態
【図４】従来型セフティーコーンベット
【図５】従来の重しをセフティーコーンに装着した状態
【図６】従来の視線誘導反射標識板をセフティーコーンに装着した状態その１
【図７】従来の視線誘導反射標識板をセフティーコーンに装着した状態その２
【符号の説明】
【００１７】１        セフティーコーン用重し
１ａ      同ベース部
１ｂ      同標識スタンド部
１ｃ      同スライドリブ
１ｄ      同板面中央刳り抜き部
２        視線誘導反射標識板
３        セフティーコーン
３ａ      同ベース部
３ｂ      同胴体筒部
【図１】
0003115275.tif 000003
【図２】
0003115275.tif 000004
【図３】
0003115275.tif 000005
【図４】
0003115275.tif 000006
【図５】
0003115275.tif 000007
【図６】
0003115275.tif 000008
【図７】
0003115275.tif 000009
(57)【要約】      （修正有）【課題】刈払作業の安全と操向性を高める。【解決手段】その要因を、本考案の接地脚体を、刈払刃の下面に刈払刃と一体に装着することにより解消し、手動操作による操作ミスなどを減少させて、安全で操向性の高い刈払作業ができるようにする。【選択図】図１
0003115278.tif 000002
【実用新案登録請求の範囲】
【請求項１】
刈払機の刈払刃の下面に刈払刃と一体に装着する、刈払刃より小径の外周寄りに円弧形状の環状凸部を有した円盤に、半円形状の凹型リブを凸部に回転方向の外側から内側に斜めに、弧状（直状でもよい）に、等間隔で副数箇所配置した構造の接地脚体。
【考案の詳細な説明】
【技術分野】
【０００１】  本考案は、刈払機の刈払刃の下面に、刈払刃と一体に装着する接地脚体に関するものである。
【背景技術】
【０００２】  公知の刈払機の刈払接地面は、刈払刃を固定するナット、接地円盤（実公平２−６７３５号参照）等、刈払刃の中心部に突出している為に、作業時中接地面に小石等障害物に接触して傾いたり、操作ミスなどで刈払機が傾き刈払刃が地面に食い込み、刈払作業上不安定で危険を伴う。この対策として、刈払刃とともに回転する構造の（実開昭５−３７３１号広報）が存在するが、該実においての下側円盤は、中心のナット用の凹部を除き刈払刃下面のほぼ全面で接地している。
したがって、走行抵抗が大となるとともに操向性が悪い欠点がある。
【特許文献１】実公平２−６７３５号
【特許文献２】実開昭５−３７３１号
【考案の開示】
【考案が解決しようとする課題】
【０００３】  刈払機での刈払作業は、極めて危険を伴う労働である。その要因は、機械構造上接地面のすくない手動操作の、不安定度の高い動力機具であるからである。
本考案は、その要因を解消し、刈払機による刈払作業の安全と、操向性を高める事を課題とする。
【課題を解決するための手段】
【０００４】  刈払刃の下面に、刈払刃より小径の外周寄りに円弧形状の環状凸部を有した円盤に、半円形状の凹型リブを凸部に回転方向の外側から内側へ斜めに、弧状（直状でもよい）に等間隔で副数箇所配置した構造の接地脚体を、刈払刃と一体に装着する。
【考案の効果】
【０００５】  本考案、接地脚体を装着する事により、刈払刃の接地面を増して刈払機本体を安定させ、地面への食い込みを防止して、安全且つ安定した刈払作業が行え、操向性を高める事ができる。【０００６】  又、環状凸部に半円形状の凹型リブを、回転方向の外側から内側へ斜めに、弧状（直状でもよい）に等間隔で副数箇所配置する事で、回転時に発生する接地抵抗を回転軸中心部に向かわせて、回転軸に加わる負荷を軽減でき、より安定度をます。【０００７】  接地脚体を装着することにより地面と刈払刃との距離を保ち、小石等との接当を少なくし、刈払刃の摩耗、破損を減少させて、作業の操向性をさらに高める事となる。
【考案を実施するための最良の形態】
【０００８】  以下、本考案の実施の形態を図に基づいて説明する。【０００９】  本考案の接地脚体は、図１、図３に示すように円弧形状、半円形状の流線形状で形成して、走行性、操作性を向上させる。【００１０】  図１は、回転軸部４に刈払刃６と接地脚体１を固定盤５で一体に装着した断面図で、環状凸部の形状を表す。【００１１】  接地脚体の環状凸部の頂点までの直径を刈込刃の直径の６〜８割にする事で、刈払機本体を安定させる事が出来る。【００１２】  図２は、接地脚体の底面図で、環状凸部２に図３の半円形状凹型リブ３を、回転方向の外側から内側へ斜めに、弧状に等間隔で４箇所配置した形状を表す。
【実施例】
【００１３】  本考案、接地脚体を、アルミ板をプレス加工して製作。
【図面の簡単な説明】
【００１４】
【図１】  刈払刃と一体に装着した接地脚体の断面図
【図２】  接地脚体の底面図
【図３】  図２におけるａ−ａ線の断面図
【符号の説明】
【００１５】１  接地脚体
２  円弧形状の環状凸部
３  半円形状の凹型リブ
４  刈払機の回転軸部
５  固定盤
６  刈払刃
【図１】
0003115278.tif 000003
【図２】
0003115278.tif 000004
【図３】
0003115278.tif 000005
(57)【要約】      （修正有）【課題】マジックペン等を使って布地内側に子供でも容易かつ正確に好みの塗り絵が描けるようにした塗り絵傘を提供する。【解決手段】傘１の布地３内側に塗り絵形成用の輪郭線部５を設ける。そして、前記輪郭線部５を柔軟なプラスチック材料からなる線材成形物５ａにて形成し、該線材成形物５ａを傘１の布地３内側に貼着する。また、前記輪郭線部５を柔軟なプラスチック製シートあるいは耐水性紙シート６に突出形成し、該シート６を傘１の布地３内側に貼着する。さらに、前記輪郭線部１に蓄光塗料７を付着あるいは含浸させる。【選択図】図１
0003115298.tif 000002
【実用新案登録請求の範囲】
【請求項１】
傘の布地内側に塗り絵形成用の輪郭線部を設けたことを特徴とする塗り絵傘。
【請求項２】
前記輪郭線部を柔軟なプラスチック材料からなる線材成形物にて形成し、該線材成形物を傘の布地内側に貼着することを特徴とする請求項１記載の塗り絵傘。
【請求項３】
前記輪郭線部を柔軟なプラスチック製シートあるいは耐水性紙シートに突出形成し、該シートを傘の布地内側に貼着することを特徴とする請求項１記載の塗り絵傘。
【請求項４】
前記輪郭線部に蓄光塗料を付着あるいは含浸させたことを特徴とする請求項１乃至３のいずれかに記載の塗り絵傘。
【考案の詳細な説明】
【技術分野】
【０００１】
本考案は、傘の布地内側に塗り絵を容易に行なえるようにした塗り絵傘に関する。
【背景技術】
【０００２】
従来、傘の布地には種々な彩色絵柄が施されていることが多い。例えば、アニメのキャラクター、木、花、草等の植物、各種動物等々が布地に描かれた傘は多いが、いずれも印刷による完成済みの絵柄に限られている。
【特許文献１】特になし
【考案の開示】
【考案が解決しようとする課題】
【０００３】
しかしながら、このような従来の傘では、好みの絵柄を呈した傘を選択するだけの楽しみしか得られない。また、従来の傘の布地に素人が所望の絵柄を上手に描くことは到底不可能である。
【０００４】
本考案は、このような従来の傘が有する問題点に鑑みなされたもので、マジックペン等を使って布地内側に子供でも容易かつ正確に好みの塗り絵が描けるようにした塗り絵傘を提供することを目的とする。
【課題を解決するための手段】
【０００５】
前記目的を達成するために、本考案に係る塗り絵傘は、傘の布地内側に塗り絵形成用の輪郭線部を設けたことを特徴とする。
【０００６】
ここにおいて、前記輪郭線部を柔軟なプラスチック材料からなる線材成形物にて形成し、該線材成形物を傘の布地内側に貼着することを特徴とすることができる。
【０００７】
また、前記輪郭線部を柔軟なプラスチック製シートあるいは耐水性紙シートに突出形成し、該シートを傘の布地内側に貼着することを特徴とすることができる。
【０００８】
さらに、前記輪郭線部に蓄光塗料を付着あるいは含浸させたことを特徴とすることができる。
【考案の効果】
【０００９】
本考案は、以上のとおり構成されるのであるから、たくさんの輪郭線部材の中から所望の塗り絵が得られる輪郭線部材を選択してそれを傘の布地内側に貼着した後、当該輪郭線部の内側をマジックペン等を使って各種色彩に着色するだけで傘の布地内側に美麗な塗り絵が形成されるため、例え幼児等であってもオリジナル性に優れた塗り絵傘を迅速、容易、正確かつ楽しく製作することができる。
【００１０】
また、輪郭線部に蓄光塗料を付着あるいは含浸させてある場合には傘を夜間に使用すると布地の当該部分が発光するため安全性が極めて高い。
【考案を実施するための最良の形態】
【００１１】
以下、図面を参照して本考案を実施するための最良の一形態を詳細に説明すると、図において示される符号１は傘、２はその骨材、３はその布地、４はその把手、５は布地３の内側に設けた塗り絵形成用の輪郭線部である。
【００１２】
前記輪郭線部５は、次のように構成される。
先ず、図１のライオンの絵柄のように、柔軟なプラスチック材料からなる線材成形物５ａのみにて形成し、該線材成形物５ａを傘１の布地３の内側に接着剤等で貼着することによって構成することができる（図２参照）。
【００１３】
また、図１のイルカの絵柄のように、柔軟なプラスチック製シートあるいは耐水性紙シート６の面に一体に突出形成し、該シート６を傘１の布地３の内側に接着剤等で貼着することによって構成することができる（図３参照）。
【００１４】
さらに、前記輪郭線部５、線材成形物５ａ、耐水性紙シート６にはそれぞれ蓄光塗料７を付着あるいは含浸させることができる（図４参照）。
【００１５】
次に、以上のように構成された最良の形態についての使用方法を説明すると、傘１の布地３内側に設けた輪郭線部５内側に例えばマジックペン（不図示）を用いて着色する。図１において、符号８はその着色部を示す。
【００１６】
このようにして輪郭線部５内側を各種色彩で着色することによって所望色に彩られた美麗な塗り絵９が形成される。
【００１７】
以上のようにして形成される塗り絵９は、大量生産された既存の彩色絵柄入り傘とは違いオリジナル性に優れており、かつ傘所有者が幼児であっても迅速、容易かつ正確に描くことができる。
【００１８】
輪郭線部５に蓄光塗料７を付着あるいは含浸されている場合は夜間に使用すると当該部分が発光するため安全が向上する。
【図面の簡単な説明】
【００１９】
【図１】本考案に係る塗り絵傘の最良の形態の一例を示す内面図を示す。
【図２】同上の一部断面図を示す。
【図３】他例を示す同上の一部断面図である。
【図４】さらに他例を示す同上の一部断面図である。
【符号の説明】
【００２０】
１    傘
３    布地
５    輪郭線部
５ａ  線材成形物
６    耐水性紙シート
７    蓄光塗料
９    塗り絵
【図１】
0003115298.tif 000003
【図２】
0003115298.tif 000004
【図３】
0003115298.tif 000005
【図４】
0003115298.tif 000006
(57)【要約】【課題】布団等を叩いても打撃音が少なく、周囲への騒音を気にすることなく埃等の叩き出しを行える叩き具を得る。【解決手段】本体１の一方の側に半球状の突起部２を複数設け、叩く衝撃音を軽減させる。【選択図】図１
0003115254.tif 000002
【実用新案登録請求の範囲】
【請求項１】
柄３及び握り部４を持つ本体１と同構成体の一部に半球状の突起部２を複数形成させた構造とした静音布団叩き具。
【考案の詳細な説明】
【技術分野】
【０００１】  本考案は、布団叩き具に複数の半球状の突起を設けることにより、布団等を叩く際の打撃音を軽減させたものである。
【背景技術】
【０００２】  従来の布団叩き具は線状材料で形成され、布団等の面に線的に接するため騒音を発するものが多く、また点で接するよう山形の突起部を設けたものはあった。（例えば実用新案登録第３０７６２０８号参照）。
【考案の開示】
【考案が解決しようとする課題】
【０００３】  従来の布団叩き具は線状材料で形成され、布団等を叩く際にその面に線で接するため騒音を発する迷惑器具がほとんどであった。また、点で接するよう山形の突起部を設けたものが出願されてはいるが、その形状と突起部の数の少なさから布団等を傷める心配があり、かつ突起部が折れる心配がある。
【課題を解決するための手段】
【０００４】  上記の問題点を解決するために、本考案は、布団等の面と接する箇所を点とするため複数の半球状の突起部を形成して打撃音の軽減を図る。
【考案の効果】
【０００５】  布団等を叩く際にその面と点で接するため打撃音が軽減され、早朝でも周囲へ与える騒音を気にすることなく布団叩きを行える。
【実施例】
【０００６】  考案の実施の形態を実施例にもとづき図面を参照して説明する。
本体１と同構成体の一部に、直径６ミリ程度の半球状の突起部２が約１平方センチあたり１個の密度で形成されているので、布団やカーペットの天日干し時に柄３の握り部４を持ち、突起部２を布団等の面に対応させて埃等を叩き出す。【０００７】「実施形態の効果」
請求項１の突起部を成形したことにより、布団等の面を叩き具で叩いた場合、接触面が点になることから衝撃音が軽減され騒音を発せず、周囲への騒音を気にすることなく布団等の埃を叩き出すことができる。
【図面の簡単な説明】
【０００８】
【図１】本考案の斜視図である。
【図２】本考案の平面図である。
【図３】本考案の突起部を示す断面図である。
【符号の説明】
【０００９】  １  本体
２  突起部
３  柄
４  握り部
【図１】
0003115254.tif 000003
【図２】
0003115254.tif 000004
【図３】
0003115254.tif 000005
(57)【要約】【課題】  梅雨や暑い夏の雨、地面から上がってくる蒸し暑い熱気がレインコートの内側にこもり愛犬に不快感を与える。また散歩の途中で雨が上がったときのレインコートは、愛犬にとって着心地が悪いものになる。【解決手段】  レインコート内の熱気を回避するために、日常の服として着用する服に、高吸水繊維を組み、水に浸した時に発生する気化熱を利用して保護する。涼しさも得られる。散歩の途中で雨が上がれば、レインコート用の側面を外せば日常の服となり、室内、屋外を問わず着用できる。また袖の長さもロールアップで調節できる。【選択図】  図２
0003115258.tif 000002
【実用新案登録請求の範囲】
【請求項１】
レインコート用の側面を取り外すことにより日常の服として着用できる愛犬のレインコートである。日常の服の左右前身頃、または日常の服全体に高吸水繊維を組み込むことを特徴とし、レインコート用の側面のシッポの位置、すなわち後中央部分に少しギャザーを入れてゆとりを持たせ、レインコート用の側面後中央を重ね合わせて左右に開けられるようにすることで、愛犬の排便がスムーズにでき、シッポなどを汚さなくてすむ。フードとレインコート用の側面が簡単に取り外しができることから雨の日は、レインコートとして、また日常の服として使い分けができることを特徴とした愛犬のツーウェイレインコートである。
【考案の詳細な説明】
【技術分野】
【０００１】  本考案は、愛犬のレインコートに関するものであり、雨の日だけでなく、また日常の服としても着せられる。雨の日、晴れの日、どちらにも着用できることを目的とする。
【背景技術】
【０００２】  雨の日でも愛犬の散歩は欠かすことはできない。そこで愛犬が濡れずに散歩に連れて行けるようにと従来より、多種多様のレインコートが普及しているが雨の日以外に着用するには少し無理がある。
【考案の開示】
【考案が解決しようとする課題】
【０００３】  従来の愛犬用レインコートは、雨の日のみである。また雨の続く梅雨の時期でも、愛犬の散歩は欠かすことができない。暑い夏の雨、地面から上がってくる蒸し暑い熱気がレインコートの内側にこもり、愛犬に不快感を与える。また、散歩の途中で雨が上がったときのレインコートは、愛犬にとって着心地の悪いものになってしまう。
【課題を解決するための手段】
【０００４】  そこで本考案は。雨の日、晴れの日、暑い日、寒い日と季節にかかわらず、又日常の服として着用できるツーウェイ・レインコートである。本考案のレインコートは、晴れた日、暑い日、日常、と着用できる服を日常の服とし、レインコートとして着用するための部分をレインコート用の側面とし、日常の服、レインコート用の側面、フードの３点からなる。まず日常の服であるが、夏の雨の日、地面から上がってくる蒸し暑い熱気から愛犬を保護するため、日常の服の左右の前身頃に高吸水繊維を組み込み、水に浸すことにより発生する気化熱を利用し、雨の日の蒸し暑い熱気から回避、保護し、涼しさも得られる。また高吸水繊維を日常の服全体に組み込んでも良い。
次にレインコートとして着用する場合、取り外していたフードとレインコート用の側面を日常の服にそれぞれ取り付ければ、直ぐにレインコートとして着られ、又散歩の途中で雨が上がった場合には、フード、レインコート用の側面を取り外せば日常の服に早変わり、つまり雨が上がっているのにレインコートを着せたまま散歩しなくてもよく、雨の日の愛犬の散歩が快適にできるツーウェイ・レインコートである。
日常の服の背中部分にレインコート用のフード、レインコート用の側面を収納できるポケットを付けてもよい。またロールアップにし、袖の長さを調整できるようにする。
【考案の効果】
【０００５】  よって本考案は、梅雨の時期、夏の暑い日、地面かくる蒸し暑い熱気から回避、保護でき涼しさも得られる。
散歩の途中で雨が上がった場合にレインコートを着用したまま散歩しなくてもよく、フードとレインコート用の側面を取り外すことにより日常の服となり、逆に急に雨が降ってきた場合でもレインコートとして直ぐに着用できる。
このように本考案のレインコートは、雨の日、晴れの日、暑い日、寒い日と季節に係わらず、日常の服として室内、屋外と幅広く着用できる。ロールアップで袖の長さも調節できる。
【考案を実施するための最良の形態】
【０００６】  図２に示すように、前身頃１０に表地１裏地２の間に高吸水繊維Ｐを組み込み、右身頃３に持ち出しを作り見返しで始末をし、左身頃３ａにも持ち出しを付けて右身頃３と同じように始末する。次に袖の長さを調節できるテープ５を両袖４に取り付けてから、袖口の始末をする。図３に示すように、後身頃１１にレインコート用側面ＴとＴａを接合するための持ち出し布６を縫い付ける。このとき持ち出し布６は浮かして取り付ける。レインコート用側面ＴとＴａを接合した時、雨が内側に入ってこないよう上にかぶさるようにするためである。両袖４を前身頃１０と後身頃１１に縫い付ける。衿７を作り、衿７を身頃に付ける。両袖下４ａと両脇８を続けて縫い裾９の始末をし、衿と前身頃１０持ち出しにドットボタンＤを付け、レインコート用側面ＴとＴａを接合する持ち出し６にもドットボタンＤを取り付ける。【０００７】  図４に示すように、レインコートにするための側面ＴとＴａの作成にはいる。まずレインコート用側面ＴとＴａ二枚共に後中央部分Ｋいわゆる愛犬のシッポの位置に少しギャザーＧを入れゆとりを持たし、排便がしやすいように後中央Ｇを左右のレインコート用の側面を重ね、開くようにする。レインコート用側面ＴとＴａの二枚を作り、それぞれ裾９の始末をする。次にレインコート用側面ＴとＴａの後中央Ｋを重ね合わせ、接合させるための持ち出し６ａである表、裏の生地の間にレインコート用側面ＴとＴａを挟み、縫い合わせる。出来上がった持ち出し接合部分６ａにドットボタンＤを付ける。図５のフードＦの中央２０を縫い合わせ、フードＦの下側２１に見返しを付け縫い、フードＦの前部分２２を折り返して仕上げる。出来上がったフードＦの下側２１にドットボタンＤを取り付ける。
【図面の簡単な説明】
【０００８】
【図１】代表図
【図２】左右の前身頃に高吸水繊維を組み込む断面図面
【図３】日常の服として、またレインコートにするための服の図面
【図４】レインコートにするためのレインコート用の側面の図面
【図５】フードの図面
【符号の説明】
【０００９】  １    前身頃の表生地
２    前身頃の裏生地
３    前身頃の持ち出し部分
３ａ  前身頃の持ち出し部分
４    袖
４ａ  袖下
５    袖の長さを調節できるテープ
６    レインコートを接合するための持ち出し布
６ａ  レインコートを接合するための持ち出し布
７    衿
８    両脇
９    身頃と側面の裾
１０    前身頃
１１    後身頃
２０    フードの中央
２１    フードの下側
２２    フードの前側
Ｐ    高吸水繊維
Ｄ    ドットボタン
Ｆ    フード
Ｇ    ギャザー
Ｋ    レインコート用側面の後中央
Ｔ    レインコート用の側面布
Ｔａ  レインコート用の側面布
【図１】
0003115258.tif 000003
【図２】
0003115258.tif 000004
【図３】
0003115258.tif 000005
【図４】
0003115258.tif 000006
【図５】
0003115258.tif 000007
(57)【要約】【課題】  取り付けや取り外しが簡単にでき、どこでもスイング矯正ができるスイング矯正バンドを提供する。【解決の手段】  幅広のゴムバンド（１）にポイントマーク（２）と調整具（３）を設けたことを特徴とする【選択図】  図１
0003115281.tif 000002
【実用新案登録請求の範囲】
【請求項１】
幅広のゴムバンド（１）で、ポイントマーク（２）と調整具（３）で調整が簡単に出来る事を特徴とするゴルフスイング矯正バンドである。
【考案の詳細な説明】
【考案の詳細な説明】
【技術分野】
【０００１】この考案は、ゴルフのスイングをするときに用いるものである。
【背景技術】
【０００２】従来はこのような矯正バンドは無かった。
【考案が解決しようとする課題】
【０００３】従来は次のような欠点があった。
（イ）スイングするとボールの手前を打ってみたりトップしてみたりで、うまくボールをヒットできない。
（ロ）ボールがスライスとか、フックしてまっすぐ飛ばない。
（ハ）手打ち等で思うような飛距離が出ない。
本考案は、以上の欠点を解決するために考案されたものである。
【課題を解決するための手段】
【０００４】幅広のゴムバンド（１）で、ポイントマーク（２）と調整具（３）の付いており調整具で調整が簡単に出来る事を特徴としたゴルフスイング矯正バンドである。
【考案を実施するための最良の形態】
【０００５】以下、本考案の実施の形態を説明する。
（イ）幅広のゴムバンド（１）を両腕に通しひじの上に固定する。その時正面のポイントマーク（２）が真円になるよう調整具（３）で調整する。
（ロ）スタンスを決めて構えたとき両腕が、幅広のゴムバンド（１）で平行か平行でないか自分でチェックする。
【考案の効果】
【０００６】（イ）構えたときの三角形がスイング軌道でも崩れにくく維持できる。
（ロ）手が左右対称に力のバランスが取れるため体のひねりでボールを打つ事が出来る。
（ハ）ポイントマークでトップ位置とフォローの位置が自分でチェックできる。
（ニ）どのクラブでも同じスイングが出来る。
【図面の簡単な説明】
【図１】本考案の斜視図
【図２】本考案の使用状態を示す斜視図
【符号の説明】
１．  幅広のゴムバンド
２．  ポイントマーク
３．  調整具
【図１】
0003115281.tif 000003
【図２】
0003115281.tif 000004
(57)【要約】【課題】  本考案は従来の園芸用多連棟大面積のハウスにおいて、軒高を高くしたい必要が生じた場合、今までのハウスを解体して行う作業はコスト的に高くなる。ハウスを解体しないでハウスの一部をはずしただけで低コストで軒高を高くする工事を可能にできる道具を提供するものである。【解決手段】  本考案の桁材持ち上げ具の上下クランプ２、５を柱に又桁押さえクランプ７を桁材に取り付け押し上げジャッキ３で桁材を持ち上げた後中間柱を取り付ける事で桁より上部の屋根部分を全く解体する事なく柱を延長する事ができる。【選択図】  図１
0003115288.tif 000002
【実用新案登録請求の範囲】
【請求項１】
下部支柱１に平行にクランプ２が有り、下部支柱１上にジャッキ３を取り付け、その上に上部支柱４を設け、上部支柱４の下部にクランプ５をクランプ２と同一芯線上に一箇所以上配置し、上部支柱４の上に横直角に桁持上げパイプ６を配置し、持上げパイプ６にはクランプ２、５の芯線と直角に交わる芯線上の両側に桁押さえクランプ７を設けた柱に対する園芸多連棟ハウスの桁持上げ具。
【考案の詳細な説明】
【技術分野】
【０００１】
本考案は、柱・桁・梁・屋根を構成した構造物の、柱より桁を持ち上げるための器具に関するものである。
【背景技術】
【０００２】
従来の園芸用多連棟大面積のハウスの場合、現在使用中のハウスの軒高を変更して高くしたい場合、柱の高さを変更することになるため、ハウスを解体し、柱を取り外し、溶接にて延長した後、再度組み立てる事をしている。この作業は大変コストがかかる為、建物を使用中は解体作業が出来ない。ハウスの老朽化を待って、部材取替の為の解体修理の時に同時に柱を延長して建替えをすることになる。
【考案の開示】
【考案が解決しようとする課題】
【０００３】
建物を使用中に柱高を高くしたい必要が生じた場合、今までのハウスを解体してから上げる作業はコスト的に非常に高くなる。従って、ハウスを解体しないでそのまま一部をはずしただけで作業を可能にすることにより、低コストでの作業が可能になり前述の欠点を解決しようとするものである。
【課題を解決するための手段】
【０００４】
柱・桁・梁・屋根で構成する園芸用ハウスにおいて、ハウスを解体せずに組み立てたまま、柱と桁の接続部のみ切り離しそのまま持ち上げるには、すなわち、旧来のハウスの図2より桁部を切り離して、図3の様に屋根を桁に取り付けたまま屋根部分だけを持ち上げ予定の空間を作り、図５の元の柱8に、中間柱9を新たに取り付け桁１０を中間柱9に降ろしボルト１１で再度固着させる事によって図４の様に低い軒高のハウスから、高い軒高に変化させる。
【考案の効果】
【０００５】
上述のように、既存のままの構造体を持ち上げ、増設できるため、ハウスを解体したり、
老朽化を待ったりなどの過程を省けるので、容易に且つ低コストで作業をすることができる。
【考案を実施するための最良の形態】
【０００６】
園芸用ハウスの場合、たくさんの柱を設えているので、全ての柱にこの持ち上げ具を取り付けてから作業を始める事も考えられるが、実際はある程度の数を徐々にずらしながら作業する方が桁と柱を外した状態でも、この持ち上げ具を取り付ける事で、取り外し前と同様になるよう下部クランプ2・上部クランプ５・桁押さえクランプ７の各クランプで押さえながら作業が進行して行くので大変安全に作業が出来る。
【実施例】
【０００７】
以下、本考案の実施例を図に基づいて説明する。図5に示すよう、桁持ち上げ具を元の柱８に取り付け、下部クランプ2は強く締め付け、上部クランプ５は少し緩めておき、桁押さえクランプ７は強く締め付ける。その後、桁取り付けボルト１１を取り外し押し上げジャッキ3のハンドル３−１を回転させネジ３−２の作用で伸ばし、スライドするように持ち上げ支柱４を押し上げると同時に持ち上げ支柱４の上部には、桁方向に取り付けてある桁受材6及び1〜２個の桁受クランプが桁１０を強く締め付けているので、元の柱8と桁１０の位置関係がずれることなく持ち上がる。しかし、一度に持ち上げるのではなく、多くの場合、何度かに分けて上げるので、2度目以降の持ち上げは、上部クランプ５を強く締め付け、下部クランプ２を緩め、押し上げジャッキ３のハンドル３−１を逆回転させて縮める事で、下部支柱1と下部クランプ2が上がる。次に下部クランプ2を強く締め付け、上部クランプ5を緩めて押し上げジャッキ3を伸ばす事で、2度目以降は前期工程を繰り返すことで予定量の持ち上げができた後、図７に示す様に元の柱８と桁１０との間に中間柱9を取り付けると、図8に示す様に、中間柱９に桁１０を押し上げジャッキ3を縮める事でゆっくり安全に下げ、取り付けボルト１１を元の状態に取り付ける事が出来る。
【図面の簡単な説明】
【０００８】
【図１】本考案より構築した全体斜視図である。
【図２】既存ハウスの斜視図である。
【図３】本体と屋根の分割斜視図
【図４】本考案を用いて作業した後のハウス斜視図
【図５】作業後の構造体斜視図
【図６】本考案の使用図（１）
【図７】本考案の使用図（２）
【図８】本考案の使用図（３）
【符号の説明】
【０００９】
１      下部支柱
２      下部クランプ
３      押し上げジャッキ
３−１  ハンドル
３−２  ネジ
４      持ち上げ支柱
５      上部クランプ
６      桁受材
７      桁押さえクランプ
８      元の柱
９      中間柱
１０    桁
１１    取り付けボルト
【図１】
0003115288.tif 000003
【図２】
0003115288.tif 000004
【図３】
0003115288.tif 000005
【図４】
0003115288.tif 000006
【図５】
0003115288.tif 000007
【図６】
0003115288.tif 000008
【図７】
0003115288.tif 000009
【図８】
0003115288.tif 000010
(57)【要約】【課題】本考案は鉗子ハンドルに圧縮コイルばねにより作動する可動ラチャットと反対側ハンドルに固定ラチェットを設けて小型化した。腹腔鏡下外科手術におけるハンドアシスト方で用いられるラップディスクを通じて腹腔内で操作される巾着縫合鉗子を提供する。【解決手段】本考案は鉗子ハンドル３，５の把持部に圧縮コイルばね１による可動ラチェット２と固定ラチェット４、さらにハンドル支点近くに圧縮コイルばね８を設け、鉗子のロック、ロック解除、鉗子ジョーの開放を片手で操作可能としたことを特徴とする。【選択図】      図１
0003115282.tif 000002
【実用新案登録請求の範囲】
【請求項１】
巾着縫合鉗子のロックのために、圧縮コイルばね１による可動ラチェット２付ハンドル３、固定ラチェット４付ハンドル５、鉗子ジョー６，７開放用圧縮コイルばね８を設けたことを特徴とする腹腔鏡下手術用食道巾着縫合鉗子。
【考案の詳細な説明】
【技術分野】
【０００１】本考案は巾着縫合鉗子に、圧縮コイルばねによるロック用可動ラチェットと固定ラチェット並びに先端ジョー開放のため圧縮コイルばねを組み合わせ設けた腹腔鏡下手術用食道巾着縫合鉗子である。
【背景技術】
【０００２】胃全摘出手術における食道−空腸吻合や直腸前方切除等消化管の再建術には、多くの医療施設で環状ステイプル吻合器が用いられる。（図２）環状ステイプル吻合器を使用する場合、アンビルシャフト及び吻合器本体のセンターロットに吻合食道及び腸管の断端を縫縮固定する必要があり巾着縫合を行う。（図３）
巾着縫合鉗子は、一般開腹外科手術において使用することを前提に開発されており、腸管を挟むには両ハンドルの支点とそのハンドル把持部とのばね性を利用し２ケのラチェットをかみ合わせ、ロックして使用する。そのため全長２２０ｍｍ前後と長い。更に使用後にはハンドルを左右方向に捩り、ラチェットのかみ合わせを解除している。（図４）
巾着縫合は手縫いでも可能であるが、時間と熟練した技術が必要である。患者へ負担が少ない腹腔鏡下外科手術でラップディスクを使用するハンドアシスト方においては従来の巾着縫合鉗子の操作は腹腔内では大きすぎて物理的に不可能である。
【考案の開示】
【考案が解決しようとする課題】
【０００３】従来品には次のような欠点があった。
（イ）ラップディスクを通じて人間の腹腔内に挿入するには物理的に大きすぎる。
（ロ）腹腔内で片手操作には無理がある。
（ハ）食道をラップディスクを通じて腹腔外に取り出し、巾着縫合をするには食道に過大なテンションがかかり無理がある。
本考案は以上の欠点を解決するために考案されたものである。
【課題を解決するための手段】
【０００４】（イ）圧縮コイルばね１を使用した可動ラチェット２付ハンドル３及び固定ラチェット４付ハンドル５を握りこむことにより軽くロック、可動ラチェット２後部レバーを小指で軽く後方に押すことによりロック解除と同時に、圧縮コイルばね８の働きにより鉗子先端のジョー６，７を開放させる機能を備えた腹腔鏡下手術用食道巾着縫合鉗子である。
（ロ）鉗子全長９８ｍｍと小型でラップディスクを通じて腹腔内において片手で操作できる。
【考案の効果】
【０００５】本考案を使用することによって
（イ）可動ラチェット２の働きにより鉗子全体が小型化された。
（ロ）腹腔鏡下外科手術ハンドアシスト方においてラップディスクを通じて腹腔内において食道に短時間で巾着縫合ができる。
【考案の実施するための最良の形態】
【０００６】（イ）ハンドル３に取り付けた可動ラチェット２は圧縮コイルばね１によりその支点で円滑に作動する。
（ロ）可動ラチェット２はハンドル５に取り付けた固定ラチェット４と圧縮コイルばね１の反発力で十分噛み合うものとする。
（ハ）可動ラチェット２を固定ラチェット４より解除した時、鉗子ジョー６，７は圧縮コイルばね８の反発力により１０ｍｍ〜１２ｍｍ間隔に開放される。
【実施例】
【０００７】以下、添付図に従って実施例を説明する。
（イ）巾着縫合鉗子のハンドル３，５の所定の位置に、可動ラチェット２、固定ラチェット４並びに圧縮コイルばね１，８を設ける。
（ロ）図５は食道の巾着縫合鉗子による巾着縫合の図である。
固定ラチェット４に圧縮コイルばね１の反発力で可動ラチェット３が噛み合って鉗子ジョー６，７はロックされる。
（ハ）縫合後、可動ラチェット２を作動・ロック解除させると、圧縮コイルばね８の反発力で鉗子ジョー６，７が開放される。
本考案の実施例は上述のとおりである。
【図面の簡単な説明】
【０００８】
【図１】    本考案の説明図
【図２】    環状ステイプル吻合器の説明図
【図３】    巾着縫合の説明図
【図４】    既存巾着縫合鉗子のハンドルの説明図
【図５】    本考案の使用状態を示す斜視図
【符号の説明】
【０００９】    １      圧縮コイルばね
２      可動ラチェット
３      ハンドル
４      固定ラチェット
５      ハンドル
６      鉗子ジョー
７      鉗子ジョー
８      圧縮コイルばね
９      針
１０    糸
１１    食道
【図１】
0003115282.tif 000003
【図２】
0003115282.tif 000004
【図３】
0003115282.tif 000005
【図４】
0003115282.tif 000006
【図５】
0003115282.tif 000007
(57)【要約】      （修正有）【課題】水分を含む履物の乾燥において、通気性よく、かつ乾燥時間を大幅に短縮することが可能となり、更には当該履物への雑菌発生も抑制することができる履物通気乾燥手段を提供する。【解決手段】水分を含む履物の乾燥において、履物を設置する部分が側面視により突起形状である構造に特徴を有する履物通気乾燥手段を利用することにより、通気性が良く、かつ乾燥時間を大幅に短縮することが可能となった。【選択図】図１
0003115267.tif 000002
【実用新案登録請求の範囲】
【請求項１】
履物通気乾燥手段において、履物を設置する部分が側面視により突起形状である構造に特徴を有する履物通気乾燥手段。
【請求項２】
履物を設置する部分の突起形状が、履物の形状や寸法に対応する形状に変化させることにより履物を設置する請求項１の履物通気乾燥手段。
【請求項３】
履物を設置する部分の突起形状が複数以上ある構造に特徴を有する請求項１又は請求項２のいずれかの履物通気乾燥手段。
【請求項４】
履物を設置する部分の突起形状が放射状に位置する場合において、中心から突起形状の間のいずれかの位置に各折り曲げ手段が中心から同間隔に介在する請求項１から請求項３のいずれかの履物通気乾燥手段。
【請求項５】
引っ掛け部分を有する固定物へ、引っ掛けることが可能な引っ掛け手段を備えること特徴とする請求項１から請求項４のいずれかの履物通気乾燥手段。
【考案の詳細な説明】
【技術分野】
【０００１】本発明は、主に家庭で利用することが可能な履物通気乾燥手段に関する。
【背景技術】
【０００２】従来、履物は、一定期間使用後洗浄し、水分を含む履物を乾燥するために、屋外に放置することが多いが、この場合地面等の水平部分にそのまま、又は壁等の垂直部分に傾斜状態で設置し、自然乾燥することが一般的であった。
【考案が解決しようとする課題】
【０００３】前記のような自然乾燥は、通気性が極めて悪く乾燥までに長時間かかるため、又それにより履物に雑菌等も発生するため、通気性の良い履物通気乾燥手段が求められてきた。
【課題を解決するための手段】
【０００４】そこで、考案者らは、戸建住宅の物干場や集合住宅のベランダに通常設置する物干竿等の引っ掛け部分を有する固定物に、履物通気乾燥手段を介在させ水分を含む履物を効果的に乾燥させるために、当該履物通気乾燥手段の形状及び構造を鋭意検討してきた。
【０００５】即ち、請求項１の考案は、履物通気乾燥手段において、履物を設置する部分が側面視により突起形状である構造に特徴を有する。
【０００６】請求項２の考案は、請求項１の履物通気乾燥手段において、履物を設置する部分の突起形状が、履物の形状や寸法に対応する形状に変化させることにより履物を設置する形状に特徴を有する。
【０００７】前記履物は、例えばスポーツシューズ、ウォーキングシューズ等の靴底以外の素材が布製のものが好適である。
【０００８】前記突起形状は、前記履物として例示したスポーツシューズ、ウォーキングシューズ等の内側の形状に対応し、当該突起形状を人力で自由に変形することができる材質であれば金属やプラスチック等いずれの材質でもよい。
【０００９】請求項３の考案は、請求項１又は請求項２のいずれかの履物通気乾燥手段において、履物を設置する部分の突起形状が複数以上ある構造に特徴を有する。
【００１０】請求項４の考案は、請求項１から請求項３のいずれかの履物通気乾燥手段において、履物を設置する部分の突起形状が放射状に位置する場合において、中心から突起形状の間のいずれかの位置に各折り曲げ手段が中心から同間隔に介在することに特徴を有する。
【００１１】請求項５の考案は、請求項１から請求項４のいずれかの履物通気乾燥手段において、引っ掛け部分を有する固定物へ、引っ掛けることが可能な引っ掛け手段を備えることを特徴とする。
【考案の効果】
【００１２】水分を含む履物の乾燥において、本考案による履物通気乾燥手段により通気性よく、かつ乾燥時間を大幅に短縮することが可能となり、更には当該履物への雑菌発生も抑制することが可能となった。
【考案を実施するための最良の形態】
【００１３】実施の最良の形態の履物通気乾燥手段として、例えば側面視で汎用ハンガーの端部に突起形状を設けたものや、利用時に放射状に広げるフレームを有するハンガーの端部が側面視で突起形状を有するものが考えられる。
【実施例】
【００１４】図１のハンガーは、汎用のハンガー形状に類似しているが、ハンガーの端部に突起形状を設けたため、従来干すことが不可能であった履物を１の突起形状の部分に設置し乾燥することが可能となった。【００１５】この場合、１の突起形状部が、履物の形状や寸法に対応する形状に人力で変化させることが可能な材質であるため、風速の強い高層マンションのベランダでも履物は１の突起形状部に十分に固定維持され、早期に当該履物を乾燥させることができる。【００１６】ここで洗浄後の乾燥対象の履物は、例えばスポーツシューズ、ウォーキングシューズ等の靴底以外の素材が布製のものが好適である。【００１７】また、引っ掛け部分を有する固定物である物干竿等へ、当該ハンガーは引っ掛け手段２を備えることにより引っ掛けることが可能となる。【００１８】図２のハンガーは、利用時に放射状に広げるフレームを有する乾燥手段の端部が側面視で突起形状部１を有するものである。【００１９】突起形状部１の性能については図１のハンガーと同様であり、また引っ掛け手段２も図１のハンガーと同様である。【００２０】また、図２のハンガーは、中心から突起形状部の間のいずれかの位置に各折り曲げ手段（図示せず）が中心から同間隔に介在する構造となっている。【００２１】更に、図１又は図２のいずれにおいても、被引っ掛け手段３に他の履物通気乾燥手段の図１又は図２のいずれかの引っ掛け手段２を引っ掛けることにより、複数の履物通気乾燥手段を縦に設置することが可能となり、スペースの狭いベランダ等においても、複数の履物を本乾燥手段により効果的に乾燥させることが可能となる。【００２２】なお、図１及び図２のいずれの中心部と突起形状部の間に介在するフレームの形状は、図では各側面図において横直線で図示したが、当該フレーム形状は二等辺三角形、長方形を含む四角形、又は五角形のような形状でもよい（図示せず）。
【産業上の利用可能性】
【００２３】水分を含む履物の乾燥において、本考案による履物通気乾燥手段により通気性よく、かつ乾燥時間を大幅に短縮することができ、更には履物の雑菌発生も抑制することが可能となり、家庭での利用だけでなく広く産業上利用することが可能となった。
【図面の簡単な説明】
【００２４】
【図１】側面視で汎用ハンガーの端部に突起形状部を設けたものを示した側面図である。
【図２】利用時に放射状に広げるフレームを有するハンガーの端部が側面視で突起形状を有するものを示した側面図及び平面図を示す。
【符号の説明】
【００２５】１突起形状部
２引っ掛け手段
３被引っ掛け手段
【図１】
0003115267.tif 000003
【図２】
0003115267.tif 000004
(57)【要約】【課題】本考案は草履、スリッパ等履物に「ヒノキチオール・ひば油」を特殊調合した精油溶液を種々の方法で施し、防菌・防虫・消臭効果を得るものである。【解決手段】本考案は、防菌・防虫・消臭効果・効能のある精油溶液（又は薬剤）を吸湿性のある床材を使った草履、スリッパ等履物の床部に塗布又は吹付けて吸収させることで前述の効果・効能を得、又履物の床材と底材を接着する接着剤に予め精油溶液（又は薬剤）を適当量加入することで床部から効力が侵出し前述同様の効果・効能がはたらき、健康的に履物を使用することができる。【選択図】      図１
0003115263.tif 000002
【実用新案登録請求の範囲】
【請求項１】
床材に吸湿性のある素材でできている草履、スリッパ等履物に、防菌・防虫・消臭効果のあるヒバ油ヒノキチオールを特殊調合した精油溶液（以下精油溶液という）・（又は薬剤）を塗布又は吹付け、充分に吸収させることによって、当該効果・効能と精油独特の香油の香りを発散させる。
【請求項２】
当該履物の床材と底材を接着剤で接着する生産工程前に、予め接着剤に防菌・防虫・消臭効果のある精油溶液（又は薬剤）を適当量加入、攪拌して均一に混ぜることによって、請求項１の効果・効能を含んだ合成接着剤となる。この場合は底材に塗られた接着剤に含む精油溶液（又は薬剤）が床部から侵出され、既述同様の効果を得ることができる。
【請求項３】
請求項１と請求項２は、施す製品の素材または、生産工程の都合で使い分けることができ、或いは両者併用して実施する。
【考案の詳細な説明】
【技術分野】
【０００１】
本考案は防菌・防虫・消臭効果のある精油溶液を草履、スリッパ等履物に塗布・吹付又は接着に混合して使用するものに関するものである。
【背景技術】
【０００２】
ひのきの香りは我が国では万人に好まれ、新築時の木の香り又ひのき風呂の香りは特に有名である。家庭風呂入用にひのき材の切り落としも販売されている。
【０００３】
この香りの元はひのき油で、学名「ヒノキチオール」といわれ精油として圧縮抽出生産されている。その効能は防菌・防虫・消臭効果と共に香油としても認知され、その効能・効力を生かした入浴用剤、シャンプー等の製品化もされている。
【０００４】
当地方にはひのきはないが同質樹といわれる名産木、青森ひばがあり「ひば油」として抽出されその効能・効力は「ヒノキチオール」と全く同様とされている。本考案の材料で精油溶液と称したものがそれである。
【考案の開示】
【考案が解決しようとする課題】
【０００５】
本考案に際しては、地方のお祭りで大量に使用され、ほとんど使い捨てられる祭用草履が念頭にあって、当該草履床の素材は稲わら、竹葉、イ草、トウモロコシの包葉で編込まれたものが多く、これらの素材の香りは好ましいとは言えず、又季節が夏であることから足が虫に刺されることもある。これらのことから防菌・防虫・消臭効果の効能に秀でた「ひば油・ヒノキチオール」調合品を精油溶剤と称し利用することにより前述の欠点を解決しようとするものである。
【課題を解決するための手段】
【０００６】
既述のように草履床は吸湿性があり、精油溶液（又は薬剤）を塗布又は吹付ける（Ａ加工）ことによって第１義的には効果・効能を得、健康的に使用できる。又、精油は香油ともいわれ芳香油でもあるから、精神の安定を促し癒しの心に奉仕できる。
【考案の効果】
【０００７】
当該草履底の素材は、スポンジ、軟質ゴム等が使われ、接着剤を底材に均一に塗布し圧接接着する工程前に、接着剤に予め当該精油溶液（又は薬剤）を適当量加入し、攪拌して混ぜて使用（Ｂ加工）すると、床部からの侵出によって（Ａ加工）同様の効果・効能を得ることができる。
【０００８】
考案実施の対象品は、草履単一に限定する必要はなく広く権利を確保するため、スリッパを含む履物と対象を広げた。又、加工材料は抽出ヒノキチオール「ひば油」即ち精油溶液のみと限らず、類似効果のある薬剤も考え得るから、精油溶液（又は薬剤）と称した。
【考案を実施するための最良の形態】
【０００９】
本考案の目的により効果的作用を求めるにはＡ加工及びＢ加工両方式を同時に実施すればよいが請求項３に示す如く臨機応変の実施を採用できる。
【図面の簡単な説明】
【００１０】
【図１】本考案の本体図面
【符号の説明】
【００１１】
１床部
２底部
３床底接着部
４鼻緒
【図１】
0003115263.tif 000003
【手続補正書】
【提出日】平成17年8月11日(2005.8.11)
【手続補正１】
【補正対象書類名】実用新案登録請求の範囲
【補正対象項目名】全文
【補正方法】変更
【補正の内容】
【実用新案登録請求の範囲】
【請求項１】
床材に吸湿性のある素材でできている草履、スリッパ等履物に、防菌・防虫・消臭効果のあるヒバ油ヒノキチオールを特殊調合した精油溶液（以下精油溶液という）を塗布又は吹付け、充分に吸収させることによって、当該効果・効能と精油独特の香油の香りを発散させる。